(57)【要約】【課題】ＴＶ放送画面内に表示される表示物の詳細情報を入手したいと思ったときに、その詳細情報を簡単かつ確実に取得し得る双方向ディジタルＣＭ放送システムを提供する。【解決手段】番組のＴＶ放送画面内に表示される表示物の表示エリアを該表示物ごとに特定するエリア情報等が、その番組のＴＶ放送画面と一体に関連付けてディジタルデータとして送信され、これを受信端末装置側が受信し、その受信したＴＶ放送画面内に表示エリアが存在するときに、その表示エリアをポインタで選択指定するか、またはデータ表示ボタンを押すと、該表示エリア内の表示物の詳細情報がＴＶ放送画面と一緒に受信手段側のモニタ画面に表示されるものとする。【選択図】  図１
2004200932.tif 000002
【特許請求の範囲】
【請求項１】
番組のＴＶ放送画面内に表示される表示物の表示エリアを該表示物ごとに特定するエリア情報および該表示エリア内の表示物を特定するＩＤ情報を、その番組のＴＶ放送画面と一体に関連付けて送信する送信手段と、
上記ＩＤ情報により特定される上記表示物の詳細情報を蓄積してなるデータサーバと、
上記送信手段から送信される上記ＴＶ放送画面、上記エリア情報、および上記ＩＤ情報を受信する受信手段と、
上記受信手段を介して受信したＴＶ放送画面の範囲内をポイントで指定するポインタと、
上記受信手段を介して受信したＴＶ放送画面内に上記表示エリアが存在し、かつ、該表示エリアが上記ポインタで選択指定されたときに、該表示エリア内の表示物のＩＤ情報を用いて上記データサーバ側へ当該表示物の詳細情報の送信を要求する情報要求処理手段と、
上記情報要求処理手段の要求に応じ送信された表示物の詳細情報を上記ＴＶ放送画面と一緒に上記受信手段側のモニタ画面に表示する情報表示処理手段とを具備すること
を特徴とする双方向ディジタルＣＭ放送システム。
【請求項２】
番組のＴＶ放送画面内に表示される表示物の表示エリアを該表示物ごとに特定するエリア情報および該表示エリア内の表示物の詳細情報を、その番組のＴＶ放送画面と一体に関連付けて送信する送信手段と、
上記送信手段から送信される上記ＴＶ放送画面、上記エリア情報、および上記詳細情報を受信する受信手段と、
上記受信手段を介して受信したＴＶ放送画面の範囲内をポイントで指定するポインタと、
上記受信手段を介して受信したＴＶ放送画面内に上記表示エリアが存在し、かつ、該表示エリアが上記ポインタで選択指定されたときに、該表示エリア内の表示物の詳細情報を上記ＴＶ放送画面と一緒に上記受信手段側のモニタ画面に表示する情報表示処理手段とを具備すること
を特徴とする双方向ディジタルＣＭ放送システム。
【請求項３】
番組のＴＶ放送画面内に表示される表示物の表示エリアを該表示物ごとに特定するエリア情報および該表示エリア内の表示物を特定するＩＤ情報を、その番組のＴＶ放送画面と一体に関連付けて送信する送信手段と、
上記ＩＤ情報により特定される上記表示物の詳細情報を蓄積してなるデータサーバと、
上記送信手段から送信される上記ＴＶ放送画面、上記エリア情報、および上記ＩＤ情報を受信する受信手段と、
上記ＴＶ放送画面とは別に設けられ、かつ、上記表示エリア内の表示物の詳細情報を上記受信手段側のモニタ画面に表示させるデータ表示ボタンと、
上記受信手段を介して受信したＴＶ放送画面内に上記表示エリアが存在し、かつ、上記データ表示ボタンが押されたとき、その表示エリア内の表示物のＩＤ情報を用いて上記データサーバ側へ当該表示物の詳細情報の送信を要求する情報要求処理手段と、
上記情報要求処理手段の要求に応じ送信された表示物の詳細情報を上記ＴＶ放送画面と一緒に上記モニタ画面に表示する情報表示処理手段とを具備すること
を特徴とする双方向ディジタルＣＭ放送システム。
【請求項４】
番組のＴＶ放送画面内に表示される表示物の表示エリアを該表示物ごとに特定するエリア情報および該表示エリア内の表示物の詳細情報を、その番組のＴＶ放送画面と一体に関連付けて送信する送信手段と、
上記送信手段から送信される上記ＴＶ放送画面、上記エリア情報、および上記詳細情報を受信する受信手段と、
上記ＴＶ放送画面とは別に設けられ、かつ、上記表示エリア内の表示物の詳細情報を上記受信手段側のモニタ画面に表示させるデータ表示ボタンと、
上記受信手段を介して受信したＴＶ放送画面内に上記表示エリアが存在し、かつ、上記データ表示ボタンが押されたとき、その表示エリア内の表示物の詳細情報を上記ＴＶ放送画面と一緒に上記モニタ画面に表示する情報表示処理手段とを具備すること
を特徴とする双方向ディジタルＣＭ放送システム。
【請求項５】
請求項１または請求項２に記載の双方向ディジタルＣＭ放送システムにおいて、
上記表示エリア内の表示物の詳細情報が上記ＴＶ放送画面と一緒に上記モニタ画面に表示される前に予め、上記表示エリア内の表示物のインデックスを上記モニタ画面に表示するインデックス表示手段を備え、
上記インデックス表示手段により表示されたインデックスを上記ポインタにより指定選択したときに、その指定選択されたインデックスの内容に相当する上記表示物の詳細情報が上記ＴＶ放送画面と一緒に上記モニタ画面に表示されること
を特徴とする双方向ディジタルＣＭ放送システム。
【請求項６】
請求項１または請求項２に記載の双方向ディジタルＣＭ放送システムにおいて、
上記受信手段を介して受信したＴＶ放送画面内に上記表示エリアが存在し、かつ、該表示エリアが上記ポインタで指定選択されたときに、その指定選択時の上記ＴＶ放送画面をキャプチャーし静止画像として上記モニタ画面に表示する静止画像生成手段を具備すること
を特徴とする双方向ディジタルＣＭ放送システム。
【請求項７】
請求項３または請求項４に記載の双方向ディジタルＣＭ放送システムにおいて、
上記表示エリア内の表示物の詳細情報が上記ＴＶ放送画面と一緒に上記モニタ画面に表示される前に予め、上記表示エリア内の表示物のインデックスを上記モニタ画面に表示するインデックス表示手段と、
上記インデックス表示手段により表示されたインデックスを選択指定するインデックス選択指定手段とを備え、
上記インデックス表示手段により表示されたインデックスを上記インデックス選択指定手段で指定したときに、その指定されたインデックスの内容に相当する上記表示物の詳細情報が上記ＴＶ放送画面と一緒に上記モニタ画面に表示されること
を特徴とする双方向ディジタルＣＭ放送システム。
【請求項８】
請求項３または請求項４に記載の双方向ディジタルＣＭ放送システムにおいて、
上記受信手段を介して受信したＴＶ放送画面内に上記表示エリアが存在し、かつ、上記データ表示ボタンが押されたときに、その押した時点の上記ＴＶ放送画面をキャプチャーし静止画像として上記モニタ画面に表示する静止画像生成手段を具備すること
を特徴とする双方向ディジタルＣＭ放送システム。
【請求項９】
請求項６または請求項８に記載の双方向ディジタルＣＭ放送システムにおいて、
上記静止画像を上記モニタ画面に表示するときに、その静止画像の生成以降に上記モニタ画面に表示される予定のＴＶ放送画面を縮小化して該モニタ画面の一部に表示する放送画面縮小表示手段を具備すること
を特徴とする双方向ディジタルＣＭ放送システム。
【請求項１０】
請求項６または請求項８に記載の双方向ディジタルＣＭ放送システムにおいて、
上記静止画像を上記モニタ画面に表示するときに、その静止画像を縮小化して該モニタ画面の一部に表示する静止画像縮小表示手段を具備すること
を特徴とする双方向ディジタルＣＭ放送システム。
【請求項１１】
請求項１または請求項３に記載の双方向ディジタルＣＭ放送システムにおいて、
上記受信手段を介して受信した上記ＴＶ放送画面、上記エリア情報、および上記ＩＤ情報を記録し後で再生する記録再生手段を具備すること
を特徴とする双方向ディジタルＣＭ放送システム。
【請求項１２】
請求項２または請求項４に記載の双方向ディジタルＣＭ放送システムにおいて、
上記受信手段を介して受信した上記ＴＶ放送画面、上記エリア情報、および上記詳細情報を記録し後で再生する記録再生手段を具備すること
を特徴とする双方向ディジタルＣＭ放送システム。
【請求項１３】
請求項１ないし請求項４のいずれかに記載の双方向ディジタルＣＭ放送システムにおいて、
上記表示エリアは、表示物を囲む３点以上の点の座標を結ぶことにより表現される領域であること
を特徴とする双方向ディジタルＣＭ放送システム。
【請求項１４】
請求項１３に記載の双方向ディジタルＣＭ放送システムにおいて、
上記表示物を囲む３点以上の点は、該表示物の輪郭線に沿うものであること
を特徴とする双方向ディジタルＣＭ放送システム。
【請求項１５】
請求項１ないし請求項４のいずれかに記載の双方向ディジタルＣＭ放送システムにおいて、
上記表示物は、ＴＶ放送画面に登場する人物が身に付けている衣類、靴、ハンドバック、またはアクセサリーを含むこと
を特徴とする双方向ディジタルＣＭ放送システム。
【請求項１６】
請求項１ないし請求項４のいずれかに記載の双方向ディジタルＣＭ放送システムにおいて、
上記表示物の詳細情報は、その表示物を商品として販売する店舗名、販売価格等の商品ＣＭ情報であること
を特徴とする双方向ディジタルＣＭ放送システム。
【請求項１７】
請求項１または請求項３に記載の双方向ディジタルＣＭ放送システムにおいて、
上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段を具備すること
を特徴とする双方向ディジタルＣＭ放送システム。
【請求項１８】
請求項１に記載の双方向ディジタルＣＭ放送システムにおいて、
上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段と、
上記ユーザの受信端末装置ごとに付された自装置ＩＤ情報、上記ポインタで選択指定された表示エリア内の表示物のＩＤ情報、および上記ユーザの問合せ内容を、上記ユーザの受信端末装置から上記データサーバ側へ送出する問合せ情報送出手段と、
上記問合せ情報送出手段を介し送出された上記自装置ＩＤ情報を基に、上記データベースのユーザ情報を参酌し問合せのあったユーザを特定するとともに、この特定されたユーザのユーザ情報を上記データベースから抽出するユーザ特定処理手段と、
上記問合せ情報送出手段を介し送出された上記表示物のＩＤ情報を基に、上記データベースを検索し該表示物の詳細情報の広告主を特定するとともに、上記データベースから抽出された上記ユーザのユーザ情報と上記ユーザからの問合せ内容とを、上記データサーバから上記特定した広告主へ提供する問合せ内容提供手段とを具備すること
を特徴とする双方向ディジタルＣＭ放送システム。
【請求項１９】
請求項３に記載の双方向ディジタルＣＭ放送システムにおいて、
上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段と、
上記ユーザの受信端末装置ごとに付された自装置ＩＤ情報、上記データ表示ボタンが押されたときの上記ＴＶ放送画面内に存在する表示エリア内の表示物のＩＤ情報、および上記ユーザの問合せ内容を、上記ユーザの受信端末装置から上記データサーバ側へ送出する問合せ情報送出手段と、
上記問合せ情報送出手段を介し送出された上記自装置ＩＤ情報を基に、上記データベースのユーザ情報を参酌し問合せのあったユーザを特定するとともに、この特定されたユーザのユーザ情報を上記データベースから抽出するユーザ特定処理手段と、
上記問合せ情報送出手段を介し送出された上記表示物のＩＤ情報を基に、上記データベースを検索し該表示物の詳細情報の広告主を特定するとともに、上記データベースから抽出された上記ユーザのユーザ情報と上記ユーザからの問合せ内容とを、上記データサーバから上記特定した広告主へ提供する問合せ内容提供手段とを具備すること
を特徴とする双方向ディジタルＣＭ放送システム。
【請求項２０】
請求項１または請求項３に記載の双方向ディジタルＣＭ放送システムにおいて、
上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段と、
上記情報要求処理手段による表示物の詳細情報の送信要求時に、その表示物のＩＤ情報と送信要求元である受信端末装置の自装置ＩＤ情報とを、送信要求コマンドに付加して上記受信端末装置から上記データサーバ側へ送出する送信要求送出手段と、
上記受信端末装置側からの詳細情報の送信要求を該詳細情報ごとに個別にカウントし、この送信要求カウント値を該詳細情報の閲覧者数として定義付ける閲覧者数カウント手段と、
上記送信要求手段を介して送出された上記自装置ＩＤ情報を基に、上記データベースのユーザ情報を参酌し送信要求元のユーザを特定するとともに、この特定されたユーザのユーザ情報を上記データベースから抽出するユーザ特定処理手段と、
上記閲覧者数カウント手段により求めた上記詳細情報の閲覧者数と、上記ユーザ特定処理手段によりデータベースから抽出されたユーザ情報とを基に、ユーザの性別、年齢別、地区別等の観点から当該詳細情報の閲覧者数を集計し統計データを作成する統計処理手段と
を具備することを特徴とする双方向ディジタルＣＭ放送システム。
【発明の詳細な説明】
【０００１】
【発明の属する技術分野】
本発明は、ＴＶ放送番組を対象とする双方向ディジタルＣＭ放送システムに関し、特に、そのＴＶ放送番組の視聴者側において、たとえば出演者が身に付けている洋服をどこで買えるか知りたい等、そのＴＶ放送画面内に表示される表示物の詳細情報を入手したいと思ったときに、その詳細情報を簡単かつ確実に取得し得るようにしたものである。
【０００２】
【従来の技術】
従来、広告等の情報取得方法として、ディジタルデータ通信を併用した双方向ディジタルテレビ受像機の表示画面に、視聴中のテレビ番組と関連するバナー広告を張り付けるとともに、このバナー広告を視聴者側でクリックすると、その広告情報を取得できるようにしたものがある（例えば、特許文献１参照。）。
【０００３】
しかし、上記のような従来の情報取得方法によると、テレビ番組のＴＶ放送画面において、これに表示される表示物とバナー広告とが別々の場所に分離して配置されるため、その表示物とバナー広告の因果関係が曖昧になりやすく、どの表示物のバナー広告であるかを一目で判断できない場合もあり、必ずしも希望する表示物の詳細情報を的確かつ確実に取得できるものとはいえない。
【０００４】
また、上記従来の情報取得方法によると、双方向ディジタルテレビ受像機の表示画面内にバナー広告が貼り付けられるので、少なくともバナー広告の貼り付け面積の分だけ、その表示画面に表示されるＴＶ放送画面の表示領域が狭くなるという不具合もある。さらに、テレビ番組がドラマ等のように雰囲気を重視する番組である場合、その貼り付けられたバナー広告が常時視聴者の目に映り、ドラマ等の番組の雰囲気が損なわれるという不具合もある。
【０００５】
【特許文献１】
特開２００２−２６８９９５号公報
【０００６】
【発明が解決しようとする課題】
本発明は上記問題点を解決するためになされたものであり、その目的とするところは、ＴＶ放送される番組の視聴者側において、そのＴＶ放送画面内に表示される表示物の詳細情報を入手したいと思ったときに、該表示物の詳細情報を簡単かつ確実に取得できるようにした双方向ディジタルＣＭ放送システムを提供することにある。
【０００７】
【課題を解決するための手段】
上記目的を達成するために、（１）本発明は、番組のＴＶ放送画面内に表示される表示物の表示エリアを該表示物ごとに特定するエリア情報および該表示エリア内の表示物を特定するＩＤ情報を、その番組のＴＶ放送画面と一体に関連付けて送信する送信手段と、上記ＩＤ情報により特定される上記表示物の詳細情報を蓄積してなるデータサーバと、上記送信手段から送信される上記ＴＶ放送画面、上記エリア情報、および上記ＩＤ情報を受信する受信手段と、上記受信手段を介して受信したＴＶ放送画面の範囲内をポイントで指定するポインタと、上記受信手段を介して受信したＴＶ放送画面内に上記表示エリアが存在し、かつ、該表示エリアが上記ポインタで選択指定されたときに、該表示エリア内の表示物のＩＤ情報を用いて上記データサーバ側へ当該表示物の詳細情報の送信を要求する情報要求処理手段と、上記情報要求処理手段の要求に応じ送信された表示物の詳細情報を上記ＴＶ放送画面と一緒に上記受信手段側のモニタ画面に表示する情報表示処理手段とを具備することを特徴とするものである。
【０００８】
（２）本発明は、番組のＴＶ放送画面内に表示される表示物の表示エリアを該表示物ごとに特定するエリア情報および該表示エリア内の表示物の詳細情報を、その番組のＴＶ放送画面と一体に関連付けて送信する送信手段と、上記送信手段から送信される上記ＴＶ放送画面、上記エリア情報、および上記詳細情報を受信する受信手段と、上記受信手段を介して受信したＴＶ放送画面の範囲内をポイントで指定するポインタと、上記受信手段を介して受信したＴＶ放送画面内に上記表示エリアが存在し、かつ、該表示エリアが上記ポインタで選択指定されたときに、該表示エリア内の表示物の詳細情報を上記ＴＶ放送画面と一緒に上記受信手段側のモニタ画面に表示する情報表示処理手段とを具備することを特徴とするものである。
【０００９】
上記（１）および（２）の本発明では、受信したＴＶ放送画面内に表示エリアが存在するときに、その表示エリアをポインタで選択指定すると、その表示エリア内の表示物の詳細情報がＴＶ放送画面と一緒に受信手段側のモニタ画面に表示される。
【００１０】
（３）本発明は、番組のＴＶ放送画面内に表示される表示物の表示エリアを該表示物ごとに特定するエリア情報および該表示エリア内の表示物を特定するＩＤ情報を、その番組のＴＶ放送画面と一体に関連付けて送信する送信手段と、上記ＩＤ情報により特定される上記表示物の詳細情報を蓄積してなるデータサーバと、上記送信手段から送信される上記ＴＶ放送画面、上記エリア情報、および上記ＩＤ情報を受信する受信手段と、上記ＴＶ放送画面とは別に設けられ、かつ、上記表示エリア内の表示物の詳細情報を上記受信手段側のモニタ画面に表示させるデータ表示ボタンと、上記受信手段を介して受信したＴＶ放送画面内に上記表示エリアが存在し、かつ、上記データ表示ボタンが押されたとき、その表示エリア内の表示物のＩＤ情報を用いて上記データサーバ側へ当該表示物の詳細情報の送信を要求する情報要求処理手段と、上記情報要求処理手段の要求に応じ送信された表示物の詳細情報を上記ＴＶ放送画面と一緒に上記モニタ画面に表示する情報表示処理手段とを具備することを特徴とするものである。
【００１１】
（４）本発明は、番組のＴＶ放送画面内に表示される表示物の表示エリアを該表示物ごとに特定するエリア情報および該表示エリア内の表示物の詳細情報を、その番組のＴＶ放送画面と一体に関連付けて送信する送信手段と、上記送信手段から送信される上記ＴＶ放送画面、上記エリア情報、および上記詳細情報を受信する受信手段と、上記ＴＶ放送画面とは別に設けられ、かつ、上記表示エリア内の表示物の詳細情報を上記受信手段側のモニタ画面に表示させるデータ表示ボタンと、上記受信手段を介して受信したＴＶ放送画面内に上記表示エリアが存在し、かつ、上記データ表示ボタンが押されたとき、その表示エリア内の表示物の詳細情報を上記ＴＶ放送画面と一緒に上記モニタ画面に表示する情報表示処理手段とを具備することを特徴とするものである。
【００１２】
上記（３）および（４）の本発明では、受信したＴＶ放送画面内に表示エリアが存在するときに、データ表示ボタンを押すと、その表示エリア内の表示物の詳細情報が上記ＴＶ放送画面と一緒に上記モニタ画面に表示される。
【００１３】
ところで、上記（１）ないし（４）の本発明において、受信手段を介して受信したＴＶ放送画面には、後述の記録再生手段により再生されるＴＶ放送画面も含まれる。
【００１４】
上記（１）または（２）の本発明については、上記表示エリア内の表示物の詳細情報が上記ＴＶ放送画面と一緒に上記モニタ画面に表示される前に予め、上記表示エリア内の表示物のインデックスを上記モニタ画面に表示するインデックス表示手段を設け、かつ、上記インデックス表示手段により表示されたインデックスを上記ポインタにより指定選択したときに、その指定選択されたインデックスの内容に相当する上記表示物の詳細情報が上記ＴＶ放送画面と一緒に上記モニタ画面に表示されるように構成してもよい。
【００１５】
上記（１）または（２）の本発明は、上記受信手段を介して受信したＴＶ放送画面内に上記表示エリアが存在し、かつ、該表示エリアが上記ポインタで指定選択されたときに、その指定選択時の上記ＴＶ放送画面をキャプチャーし静止画像として上記モニタ画面に表示する静止画像生成手段を具備してもよい。
【００１６】
上記（３）または（４）の本発明については、上記表示エリア内の表示物の詳細情報が上記ＴＶ放送画面と一緒に上記モニタ画面に表示される前に予め、上記表示エリア内の表示物のインデックスを上記モニタ画面に表示するインデックス表示手段と、上記インデックス表示手段により表示されたインデックスを指定選択するインデックス選択指定手段とを設け、かつ、上記インデックス表示手段により表示されたインデックスを上記インデックス選択指定手段で指定したときに、その指定されたインデックスの内容に相当する上記表示物の詳細情報が上記ＴＶ放送画面と一緒に上記モニタ画面に表示されるように構成してもよい。
【００１７】
上記（３）または（４）の本発明は、上記受信手段を介して受信したＴＶ放送画面内に上記表示エリアが存在し、かつ、上記データ表示ボタンが押されたときに、その押した時点の上記ＴＶ放送画面をキャプチャーし静止画像として上記モニタ画面に表示する静止画像生成手段を具備してもよい。
【００１８】
上記のように静止画像をモニタ画面に表示する構成の場合には、静止画像をモニタ画面に表示するときに、その静止画像の生成以降に上記モニタ画面に表示される予定のＴＶ放送画面を縮小化して該モニタ画面の一部に表示する放送画面縮小表示手段を設けることができる。
【００１９】
上記のように静止画像をモニタ画面に表示する構成の場合には、静止画像をモニタ画面に表示するときに、その静止画像を縮小化して該モニタ画面の一部に表示する静止画像縮小表示手段を設けてもよい。
【００２０】
上記（１）または（３）の本発明は、上記受信手段を介して受信した上記ＴＶ放送画面、上記エリア情報、および上記ＩＤ情報を記録し後で再生する記録再生手段を具備してもよい。
【００２１】
上記（２）または（４）の本発明は、上記受信手段を介して受信した上記ＴＶ放送画面、上記エリア情報、および上記詳細情報を記録し後で再生する記録再生手段を具備してもよい。
【００２２】
上記（１）ないし（４）の本発明において、上記表示エリアは、表示物を囲む３点以上の点の座標を結ぶことにより表現される領域とすることができる。この場合、その表示物を囲む３点以上の点は、該表示物の輪郭線に沿うものとしてもよい。
【００２３】
上記（１）ないし（４）の本発明において、上記表示物には、ＴＶ放送画面に登場する人物が身に付けている衣類、靴、ハンドバック、またはアクセサリーが含まれる。
【００２４】
上記（１）ないし（４）の本発明において、上記表示物の詳細情報には、その表示物を商品として販売する店舗名、販売価格等の商品情報が含まれる。
【００２５】
上記（１）または（３）の本発明については、上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段をさらに具備する構成を採用してもよい。
【００２６】
上記（１）の本発明については、上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段と、上記ユーザの受信端末装置ごとに付された自装置ＩＤ情報、上記ポインタで選択指定された表示エリア内の表示物のＩＤ情報、および上記ユーザの問合せ内容を、上記ユーザの受信端末装置から上記データサーバ側へ送出する問合せ情報送出手段と、上記問合せ情報送出手段を介し送出された上記自装置ＩＤ情報を基に、上記データベースのユーザ情報を参酌し問合せのあったユーザを特定するとともに、この特定されたユーザのユーザ情報を上記データベースから抽出するユーザ特定処理手段と、上記問合せ情報送出手段を介し送出された上記表示物のＩＤ情報を基に、上記データベースを検索し該表示物の詳細情報の広告主を特定するとともに、上記データベースから抽出された上記ユーザのユーザ情報と上記ユーザからの問合せ内容とを、上記データサーバから上記特定した広告主へ提供する問合せ内容提供手段とをさらに具備する構成を採用してもよい。
【００２７】
上記（３）の本発明については、また、上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段と、上記ユーザの受信端末装置ごとに付された自装置ＩＤ情報、上記データ表示ボタンが押されたときの上記ＴＶ放送画面内に存在する表示エリア内の表示物のＩＤ情報、および上記ユーザの問合せ内容を、上記ユーザの受信端末装置から上記データサーバ側へ送出する問合せ情報送出手段と、上記問合せ情報送出手段を介し送出された上記自装置ＩＤ情報を基に、上記データベースのユーザ情報を参酌し問合せのあったユーザを特定するとともに、この特定されたユーザのユーザ情報を上記データベースから抽出するユーザ特定処理手段と、上記問合せ情報送出手段を介し送出された上記表示物のＩＤ情報を基に、上記データベースを検索し該表示物の詳細情報の広告主を特定するとともに、上記データベースから抽出された上記ユーザのユーザ情報と上記ユーザからの問合せ内容とを、上記データサーバから上記特定した広告主へ提供する問合せ内容提供手段とをさらに具備する構成を採用してもよい。
【００２８】
上記（１）または（３）の本発明については、また、上記受信手段を含む受信端末装置の所有者であるユーザに対し、該ユーザの氏名、性別、生年月日、電子メールアドレスを含む住所等、各種ユーザ情報を上記データサーバ側のデータベースに登録することを要求するユーザ情報登録要求手段と、上記情報要求処理手段による表示物の詳細情報の送信要求時に、その表示物のＩＤ情報と送信要求元である受信端末装置の自装置ＩＤ情報とを、送信要求コマンドに付加して上記受信端末装置から上記データサーバ側へ送出する送信要求送出手段と、上記受信端末装置側からの詳細情報の送信要求を該詳細情報ごとに個別にカウントし、この送信要求カウント値を該詳細情報の閲覧者数として定義付ける閲覧者数カウント手段と、上記送信要求手段を介して送出された上記自装置ＩＤ情報を基に、上記データベースのユーザ情報を参酌し送信要求元のユーザを特定するとともに、この特定されたユーザのユーザ情報を上記データベースから抽出するユーザ特定処理手段と、上記閲覧者数カウント手段により求めた上記詳細情報の閲覧者数と、上記閲覧者数カウント手段により求めた上記詳細情報の閲覧者数と、上記ユーザ特定処理手段によりデータベースから抽出されたユーザ情報とを基に、ユーザの性別、年齢別、地区別等の観点から当該詳細情報の閲覧者数を集計し統計データを作成する統計処理手段とをさらに具備する構成を採用してもよい。
【００２９】
【発明の実施の形態】
以下、本発明に係る双方向ディジタルＣＭ放送システムの実施形態について図１ないし図６を基に詳細に説明する。
【００３０】
＜第１の本発明の実施形態＞
図１は本発明の一実施形態である双方向ディジタルＣＭ放送システムのシステム構成図であり、図２は本発明のシステムを構成する受信端末装置のブロック図であり、図３は本発明のシステムにおいて送信または受信されるＴＶ放送画面の説明図である。
【００３１】
図１に示す双方向ディジタルＣＭ放送システムは、送信手段１、受信端末装置２、データサーバ３を含むシステム構成を採用したものである。
【００３２】
送信手段１は放送局に設置され、かつ、各種番組のＴＶ放送画面４とこのＴＶ放送画面４に関わる音声をデジィタルデータとして送信する。このデータ送信方式については衛星ディジタル放送または地上波ディジタル放送等の放送技術が適用される。
【００３３】
また、この放送局の送信手段１は、ＴＶ放送画面４を送信するとき同時に、そのＴＶ放送画面４と一体に関連付けてエリア情報とＩＤ情報もディジタルデータとして送信する。
【００３４】
上記ＴＶ放送画面４とは、これを受信する側において動画として再生される画面を意味する。
【００３５】
上記エリア情報とは、ＴＶ放送画面４内に表示される表示物Ａの表示エリア５を該表示物Ａごとに特定する情報である。したがって、図３のように、一のＴＶ放送画面４内に異なる表示物Ａ１〜Ａ４が複数存在する場合は、その複数の表示物Ａ１〜Ａ４と同数の表示エリア５−１〜５−３が一のＴＶ放送画面４内に存在し、これらの表示エリア５−１〜５−３が当該一の放送画面４と一体に関連付けられて送信される。
【００３６】
上記ＩＤ情報とは、識別子として通常用いられるＩＤによって表示エリア５内の表示物Ａを特定する情報であり、異なる表示物Ａ−１〜Ａ−３ごとに異なるＩＤが用いられる。したがって、ＩＤが同一の場合は同一の表示物であることを意味する。また、この表示物ＡのＩＤ情報はデータセンタで作成され、かつ、データセンタ内のデータサーバ３からインターネットまたはＣＡＴＶ等の通信網６を介して放送局側へ送信される。
【００３７】
上記エリア情報から得られる表示物Ａの表示エリア５は、その表示物Ａを囲む３点以上の点の座標を結ぶことにより表現される領域である。この場合、３点以上の点は表示物Ａの輪郭線に沿って忠実に設けられるものとしてもよい。
【００３８】
上記ＴＶ放送画面４に表示される表示物Ａについては各種考えられる。たとえばＴＶ放送画面４に登場する人物が身に付けている衣類、靴、ハンドバックまたはアクセサリーの他、ＴＶ放送画面４に登場する車両等も表示物Ａに含まれ、表示物Ａはどのようなものでもよくその種類は問わない。
【００３９】
ところで、放送局の送信手段１を介し送信されるＴＶ放送画面４の中にはその放送シーンに応じて上記のようなエリア情報、すなわち表示エリア５がない場面も存在する。必ずしもすべての放送シーンのＴＶ放送画面４に上記のような表示エリア５が一体に関連付けられて送信されるとは限らない。表示物ＡのＩＤ情報も同様である。
【００４０】
データサーバ３はデータベース７を有し、このデータベース７には上記表示物ＡのＩＤ情報ごとに、その各ＩＤ情報により特定される表示物Ａの詳細情報Ｂと該詳細情報Ｂの広告主を特定する情報とが蓄積されている。したがって、特定の一のＩＤ情報に基づきデータベース７の検索が行なわれると、その一のＩＤ情報に関係付けられている表示物Ａの詳細情報Ｂがデータベース７から抽出されるとともに、その詳細情報Ｂの広告主が特定される。なお、図３の詳細情報Ｂは符号Ａ−１で示す表示物に関する詳細情報の例である。
【００４１】
データベース７に蓄積される表示物Ａの詳細情報Ｂの変更または新規登録を行なう手段については各種考えられるが、本実施形態のシステムでは、広告主が自己の端末からインターネット等の通信網６を介してデータサーバ３にアクセスすることにより、その詳細情報Ｂの変更または新規登録を可能とする構成を採用している。このようにして登録された個々の詳細情報Ｂに対し上記ＩＤ情報が付される。
【００４２】
上記表示物Ａの詳細情報には、その表示物Ａを商品として正式に紹介するための商品画像、その表示物Ａを商品として販売する店舗名、販売価格等の商品情報が含まれる。また、番組について知りたい情報、たとえば、番組の撮影場所や番組のＢＧＭ等を紹介する情報もこの詳細情報に含まれる。
【００４３】
受信端末装置２は放送番組の視聴者側に設置され、かつ、上記放送局の送信手段１を介して送信されるディジタルデータ、すなわちＴＶ放送画面４、音声、エリア情報、およびＩＤ情報等を受信する機能を具備する。このディジタルデータの受信は、受信端末装置２側に接続されたアンテナ８と受信端末装置２に内蔵のチューナ９を介して行なわれる。
【００４４】
受信端末装置２は、上記の如く受信したＴＶ放送画面４を液晶ディスプレイ等のモニタ画面１０に表示する機能を具備する。このようなモニタ画面１０へのＴＶ放送画面４の表示処理は、受信端末装置２に内蔵のＣＰＵ１１が実行する。
【００４５】
受信端末装置２にはリモコン１２が付属し、このリモコン１２にはポインタ表示ボタン（図示省略）が設けられている。
【００４６】
リモコン１２のポインタ表示ボタン１２−１を押すと、上記の如くモニタ画面１０に表示されたＴＶ放送画面４中にポインタ１３が現れ、このポインタ１３によりそのＴＶ放送画面４の範囲内をポイントで指定することが可能となる。
【００４７】
上記ポインタ１３により指定されるポイントは座標値で表される。また、このポインタ１３の生成に関する処理とポインタ１３によるポイントの指定に関する処理については、受信端末装置２に内蔵のＣＰＵ１１が実行する。ポインタ１３の移動は、リモコン１２に設けられている上下左右のカーソルボタン等により行なうことができる。
【００４８】
受信端末装置２において、ＴＶ放送画面４と一体に関連付けて送信されるエリア情報を受信した場合は、モニタ画面１０に表示されるそのＴＶ放送画面４の中に、当該エリア情報に基づき特定される表示物Ａの表示エリア５が存在する。この一方、上述の通り、放送シーンによってはＴＶ放送画面４と一体に関連付けてエリア情報が送信されない場合もあり、この場合、モニタ画面１０に表示されるそのＴＶ放送画面４の中には表示エリア５は一つも存在しない。このような表示エリア５の存否の判断は、受信端末装置２のＣＰＵ１１が行なう。ここで、上記表示エリア５はデータの形で存在するものであって、モニタ画面１０に直接表示されることはない。
【００４９】
受信端末装置２において、たとえば、受信したＴＶ放送画面４内に表示物Ａ−１の表示エリア５−１が存在し、かつ、その表示エリア５−１が上記ポインタ１３によって選択指定されたときは、該表示エリア５−１内の表示物Ａ−１のＩＤ情報を用いて、データサーバ３側へ当該表示物Ａ−１の詳細情報Ｂの送信を要求する処理が行なわれる。この詳細情報Ｂの送信要求は、受信端末装置２とデータサーバ３とを結ぶインターネットまたはＣＡＴＶ等の通信網６を介し、受信端末装置２のＣＰＵ１１により実行される。よって、本実施形態の場合、そのＣＰＵ１１が情報送信要求手段としての機能を具備する。
【００５０】
データサーバ３側では、受信端末装置２側から上記のような詳細情報Ｂの送信要求があると、その送信要求に用いられているＩＤ情報をキーとしてデータベース７を検索し、かつ、該ＩＤ情報により特定される表示物Ａ−１の詳細情報Ｂをデータベース７から抽出して送信要求元の受信端末装置２側へ送出する。この詳細情報Ｂの送出は、上記詳細情報Ｂの送信要求と同様に、インターネットまたはＣＡＴＶ等の通信網６を介して行なわれる。
【００５１】
上記の如く受信端末装置２側からの詳細情報Ｂの送信要求に応じてデータサーバ３側から送信された表示物Ａ−１の詳細情報Ｂは、受信端末装置２側においてＴＶ放送画面４と一緒にモニタ画面１０に表示される。このような詳細情報Ｂの表示処理は受信端末装置２のＣＰＵ１１により実行される。よって、本実施形態の場合、そのＣＰＵ１１が情報表示処理手段としての機能を具備する。
【００５２】
受信端末装置２にはハードディスク１４が接続されている。このハードディスク１４には受信したＴＶ放送画面４、エリア情報およびＩＤ情報を記録でき、また、この記録されたＴＶ放送画面４は後でモニタ画面１０に再生できる。このとき、その再生ＴＶ放送画面にも、ハードディスク１４に記録されたエリア情報とＩＤ情報が一体に関連付けられる。
【００５３】
したがって、上記のような再生ＴＶ放送画面は、基本的には上記の如く放送局の送信手段１からリアルタイムで順次送信される放送画面４と同一であり、この再生ＴＶ放送画面を使って上述の手法により表示物Ａ−１の詳細情報Ｂの送信要求を行なうこともできる。
【００５４】
上記ハードディスク１４へのＴＶ放送画面４等の記録や、この記録したＴＶ放送画面４の再生等の処理は、受信端末装置２のＣＰＵ１１により実行される。よって、本実施形態の場合、そのＣＰＵ１１が記録再生手段としての機能を具備する。
【００５５】
受信端末装置２のハードディスク１４には、上記の如く受信した表示物Ａ−１の詳細情報Ｂを保存することもできる。また、この受信した表示物Ａ−１の詳細情報Ｂは図示しないプリンタで印刷することもできる。
【００５６】
ところで、上記の如くデータサーバ３側から送信される表示物Ａ−１の詳細情報Ｂは受信端末装置２側においてＴＶ放送画面４と一緒にモニタ画面１０に表示されるが、本実施形態のシステムにおいては、さらその詳細情報Ｂの表示前に予め、その表示エリア５内の表示物Ａ−１のインデックスＣ（Ｃ−１〜Ｃ−４）がモニタ画面１０に表示される構成を採用している。
【００５７】
すなわち、ＴＶ放送画面４内に表示物Ａ−１の表示エリア５−１が存在し、かつ、その表示エリア５−１が上記ポインタ１３で選択指定されると、このとき最初に、その表示エリア５−１内の表示物Ａ−１のインデックスＣ（Ｃ−１〜Ｃ−４）がＴＶ放送画面４と一緒にモニタ画面１０に表示される。
【００５８】
表示エリア５内の表示物Ａについては、必ずしも１つの要素からなるものとは限られず、複数の要素から構成される場合もある。図３に示す表示エリア５−１内の表示物Ａ−１は、スカーフ、ブラウス、ベスト、スカートという複数の要素から構成される。このように表示物Ａ−１が複数の構成要素からなる場合は、その表示物Ａ−１構成要素のインデックスＣ−１〜Ｃ−４が一覧表示される。そして、この一覧表示されたインデックスＣ−１〜Ｃ−４のうち、たとえばインデックスＣ−１がポインタ１３により選択指定されると、その選択指定したインデックスＣ−１の内容に相当する表示物Ａ−１構成要素の詳細情報ＢのみがＴＶ放送画面４と一緒にモニタ画面１０に表示される。図３においては、表示物Ａ−１の構成要素の一つであるスカーフというインデックスＣ−１がポインタ１３で選択指定され、かつ、そのスカーフの詳細情報Ｂが表示された例が示されている。
【００５９】
上記のように表示される詳細情報Ｂの取得と表示の手法は前述通りである。また、表示物Ａ−１のインデックスＣをモニタ画面１０に表示する処理は、受信端末装置２のＣＰＵ１１により実行される。よって、本実施形態の場合、そのＣＰＵ１１がインデックス表示手段としての機能を具備する。ここで、モニタ画面１０に表示される表示物Ａ−１のインデックスＣは、該表示物Ａ−１のＩＤ情報と関連付けて放送局の送信手段１側から送信され、これを受信端末装置２で受信したものである。
【００６０】
また、本実施形態のシステムにおいては、ＴＶ放送画面４内に表示物Ａの表示エリア５が存在し、かつ、その表示エリア５が上記ポインタ１３で選択指定されると、その指定選択時のＴＶ放送画面４を原寸のままキャプチャーし静止画像４−１としてモニタ画面１０に表示する構成が採用されている。この静止画像を生成する処理は、受信端末装置２のＣＰＵ１１により実行される。よって、本実施形態の場合、そのＣＰＵ１１が静止画像生成手段としての機能を具備する。
【００６１】
さらに、上記の如く生成された静止画像４−１がモニタ画面１０側に表示されるとき、その静止画像４−１の生成以降に該モニタ画面１０に表示される予定のＴＶ放送画面（動画）４−２は、静止画像４−１より小さく縮小化されるとともに、静止画像４−１に重ねてモニタ画面１０の一部に表示される。この際、ＴＶ放送画面４を縮小表示する代わりに静止画像４−１を縮小表示してもよい。
【００６２】
上記のようなＴＶ放送画面の縮小化やこの縮小化されたＴＶ放送画面と縮小化されていない静止画像との重ね合わせの処理、または静止画像の縮小化やこの縮小化された静止画像と縮小化されていないＴＶ放送画面との重ね合わせの処理は、受信端末装置２のＣＰＵ１１により実行される。よって、本実施形態の場合、そのＣＰＵ１１が放送画面縮小表示手段および静止画像縮小表示手段としての機能を具備する。
【００６３】
また、モニタ画面１０に表示される詳細情報Ｂに係わる商品を購入する手段として、たとえば、受信端末装置２からインターネット等の通信網６を介してデータサーバ３側へアクセスすることで、その商品の購入予約を行なうことを可能とする構成を採用することもでき、この場合、データサーバ３はその商品の購入予約も管理する。詳細情報Ｂの広告主は、自己の端末から通信網６を介しデータサーバ３にアクセスすることにより、自己の詳細情報Ｂに係わる商品の購入予約を閲覧することができる。
【００６４】
次に、上記の如く構成された双方向ディジタルＣＭ放送システムに関し、特に受信端末装置２側のモニタ画面１０においてポインタ１３によるポイント指定があった場合の動作を、図３の表示例と図４のフローチャートで説明する。
【００６５】
図２に示すポインタ１３によるポイント指定があると、モニタ画面１０に表示物ＡのインデックスＣが表示されているか否かを判断する（ステップ１００）。このステップ１００において、表示されていると判断した場合、すなわち表示済みのインデックスＣ−１〜Ｃ−４があるとき（ステップ１００のＹＥＳ）は、ポインタ１３によるポイント指定の座標値がインデックスＣ−１〜Ｃ−４の表示領域内に含まれるか否かを判断する（ステップ１０１）。一方、このステップ１０１において、たとえば、インデックスＣ−１の表示領域内に含まれると判断した場合（ステップ１００のＹｅｓ）は、インデックスＣ−１の内容に相当する表示物Ａ１の構成要素（スカーフ）の詳細情報Ｂをモニタ画面１０に表示するための処理が行なわれる（ステップ１０２）。この処理については、本実施形態の場合、受信端末装置２からデータサーバ３に対し詳細情報Ｂの送信を要求する処理と、その要求に応じてデータサーバ３から送信された詳細情報Ｂを受信端末装置２側のモニタ画面１０に表示する処理である。
【００６６】
上記ステップ１０１において、インデックスＣ−１の表示領域内には含まれないと判断した場合（ステップ１０１のＮｏ）は、次のインデックスＣ−２に進む処理が行なわれる（ステップ１０３）。この処理はステップ１００に戻る処理であり、ステップ１０１に戻った後は次のインデックスＣ−２について上記と同様の処理が行なわれる。
【００６７】
上記ステップ１００において、表示物ＡのインデックスＣは何も表示されていないと判断した場合、すなわち表示済みのインデックスがないとき（ステップ１００のＮｏ）は、エリア情報があるか否かを判断する（ステップ１０４）。このステップ１０４において、エリア情報があると判断した場合（ステップ１０４のＹｅｓ）は、ポインタ１３によるポイント指定の座標値がそのエリア情報によって特定される表示物Ａの表示エリア５に含まれるか否かを判断する（ステップ１０５）。このステップ１０５において、含まれると判断した場合は、その表示エリア５内の表示物Ａのインデックスを表示する（ステップ１０６）。
【００６８】
また、上記ステップ１０５において、含まれないと判断した場合（ステップ１０５のＮｏ）は次のエリア情報へ進む処理が行なわれる（ステップ１０７）。この処理はステップ１０４に戻る処理であり、ステップ１０４に戻った後は次のエリア情報について上記と同様の処理が行なわれる。
【００６９】
＜第２の本発明の実施形態＞
図５に示す双方向ディジタルＣＭ放送システムは、第２の本発明の実施形態として、送信手段１および受信端末装置２を含むシステム構成を採用したものである。
【００７０】
図１のシステムでは、放送局の送信手段１からエリア情報およびＩＤ情報が番組のＴＶ放送画面４と一体に関連付けて送信され、かつ、その番組のＴＶ放送画面４内に表示される表示物Ａの詳細情報Ｂは、情報送信要求に応じてデータサーバ３側から送信される構成を採るが、この図５のシステムでは、上記エリア情報と上記詳細情報Ｂが放送局の送信手段１から図３に示す番組のＴＶ放送画面４と一体に関連付けてディジタルデータとして送信される構成を採る。この点が図１のシステムと大きく相違する。
【００７１】
したがって、この図５のシステムでは、放送局の送信手段１側からＩＤ情報は送信されない。また、同図のシステムにおいて、受信端末装置２の受信手段（図２のアンテナ８とチューナ９）では、放送局の送信手段１から送信されるＴＶ放送画面４、エリア情報、および詳細情報Ｂを受信するものとする。そして、受信端末装置２側においては、その受信したＴＶ放送画面４内に表示物Ａの表示エリア５が存在し、かつ、このときに該表示エリア５がポインタ１３で選択指定されると、図１に示すようなデータサーバ３側への詳細情報の送信要求をすることなく、該表示エリア５内の表示物Ａの詳細情報ＢがＴＶ放送画面４と一緒にモニタ画面１０に表示される。このような情報表示処理も受信端末装置２のＣＰＵ１１が実行する。ここでモニタ画面１０に表示される詳細情報Ｂは、データサーバ３側でなく、放送局の送信手段１側から直接リアルタイムで順次送信されたものである。
【００７２】
また、上記のように放送局の送信手段１からエリア情報と詳細情報Ｂが番組のＴＶ放送画面４と一体に関連付けて送信されるシステム構成の場合は、そのＴＶ放送画面４、エリア情報および詳細情報Ｂを受信端末装置２のハードディスク１４（図２参照）に記録するものとする。そして、このハードディスク１４に記録されたＴＶ放送画面４を後でモニタ画面１０上に再生したときも、その再生ＴＶ放送画面と一体に該ハードディスク１４に記録されたエリア情報と詳細情報Ｂが関連付けられる。したがって、この再生ＴＶ放送画面は、基本的には上記の如く放送局の送信手段１からリアルタイムで順次送信されるＴＶ放送画面４と同一であり、この再生ＴＶ放送画面を使って上述の手法により表示物Ａの詳細情報Ｂを取得することができる。
【００７３】
上記のようなシステム構成の双方向ディジタルＣＭ放送システムによると、受信端末装置２側とデータサーバ３との間で詳細情報Ｂの送信要求や該詳細情報の送信はなされないから、そのような送信要求処理や送信処理を行なうためのシステムプログラムを省略することができる。
【００７４】
＜第３の本発明の実施形態＞
図１のシステムでは、受信端末装置２側においてＴＶ放送画面４内に存在する表示エリア５をポインタ１３で選択指定する構成を採用したが、さらに、第３の本発明に係る双方向ディジタルＣＭ放送システムの実施形態として、そのポインタ１３の代わりに、ＴＶ放送画面４とは別に設けたデータ表示ボタン１２−２を利用することができる（図１中の別のリモコンを参照）。
【００７５】
上記データ表示ボタン１２−２を利用する構成を採用する場合、データ表示ボタン１２−２は受信端末装置２側の付属のリモコン１２に設けられる。また、受信端末装置２側においては、受信したＴＶ放送画面４内に表示物Ａの表示エリア５が存在し、かつ、このときリモコン１２のデータ表示ボタン１２−２が押されると、その表示エリア５内の表示物ＡのＩＤ情報を用いてデータサーバ３側へ当該表示物Ａの詳細情報Ｂの送信を要求するものとする。そして、その要求に応じデータサーバ３側から送信された表示物Ａの詳細情報ＢがＴＶ放送画面４と一緒に受信端末装置２側のモニタ画面１０に表示される。ここで、ＴＶ放送画面４内に表示物Ａの表示エリア５が存在するか否かの判断や、その表示エリア５が存在するときにデータ表示ボタン１２−２が押されたか否かの判断は、受信端末装置２側のＣＰＵ１１が実行する。また、受信したＴＶ放送画面４内に表示物Ａの表示エリア５が存在しない場合は、データ表示ボタン１２−２を押しても詳細情報Ｂは何も表示されない。
【００７６】
上記のようにデータ表示ボタン１２−２で詳細情報Ｂを表示させる構成を採用する場合にも、表示エリア５内の表示物Ａの詳細情報ＢがＴＶ放送画面４と一緒にモニタ画面１０に表示される前に予め、表示エリア５内の表示物ＡのインデックスＣがモニタ画面１０に表示される構成を採用することができる。
【００７７】
この場合、リモコン１２にはモニタ画面１０に表示されたインデックスＣを指定選択するためのインデックス選択指定ボタン１２−３が設けられる。ポインタ１３によるインデックスの選択指定ができないからである。このインデックス選択指定ボタン１２−３によりインデックスＣが選択指定されると、その指定選択されたインデックスＣの内容に相当する表示物Ａの詳細情報ＢがＴＶ放送画面４と一緒にモニタ画面１０に表示される。
【００７８】
＜第４の本発明の実施形態＞
上記データ表示ボタン１２−２により詳細情報Ｂを表示させる構成は、図２のシステムにも適用することができる。この適用例が第４の本発明の実施形態に係る双方向ディジタルＣＭ放送システムであり、同システムの場合、受信端末装置２側においては、その受信したＴＶ放送画面４内に表示物Ａの表示エリア５が存在し、かつ、このときリモコン１２のデータ表示ボタン１５が押されると、データサーバ３側への詳細情報の送信要求をすることなく、該表示エリア５内の表示物Ａの詳細情報ＢがＴＶ放送画面４と一緒にモニタ画面１０に表示される。このような構成においても上述のインデックス表示構成を採用することができることは言うまでもない。
【００７９】
＜以上の実施形態の作用・効果＞
上記実施形態のうち、受信したＴＶ放送画面４内に表示エリア５が存在するときに、その表示エリア５をポインタ１３で選択指定すると、その表示エリア５内の表示物Ａの詳細情報ＢがＴＶ放送画面４と一緒にモニタ画面１０に表示されるという構成を採用したものにあっては、表示物Ａとその表示エリア５は同じ場所にあるから、視聴者はＴＶ放送画面４に表示される表示物Ａの詳細情報Ｂを取得しようとする際に、その表示物Ａそのものをポインタ１３という指示手段で示すような感覚で、簡単かつ確実に当該表示物Ａの詳細情報Ｂを取得することができるという効果を奏する。
【００８０】
上記実施形態のうち、リモコン１２にデータ表示ボタン１５が設けられ、かつ受信したＴＶ放送画面４内に表示エリア５が存在するときに、そのデータ表示ボタン１５を押すと、該表示エリア５内の表示物Ａの詳細情報ＢがＴＶ放送画面４と一緒にモニタ画面１０に表示されるという構成を採用したものにあっては、ＴＶ放送画面４と一緒にバナー広告を表示しなくても、データ表示ボタン１５を押すだけで、そのＴＶ放送画面４に表示される表示物Ａの詳細情報Ｂを簡単かつ確実に取得でき、バナー広告の省略によりＴＶ放送画面４の表示領域を広く確保することができる。
【００８１】
また、特に、インデックスＣを表示する構成を採用したものによると、視聴者にとって必要な詳細情報、すなわちポインタ１３により選択指定したインデックスＣの表示物Ａに関する詳細情報Ｂだけがモニタ画面１０に表示され、不要な詳細情報、すなわちポインタ１３により選択指定されないインデックスの表示物に関する詳細情報はモニタ画面１０に表示されないから、真に必要な詳細情報のみを確実かつ簡単に取得することができる。
【００８２】
＜図１のシステムに追加適用しうる技術要素（その１）＞
図１の双方向ディジタルＣＭ放送システムでは、本システム利用者、すなわち受信端末装置２を所有するユーザである番組視聴者に対しＴＶ放送画面４内に表示される表示物Ａの詳細情報Ｂを提供するが、同図の双方向ディジタルＣＭ放送システムは、さらに、そのような詳細情報Ｂの提供サービスをユーザが受けようとする前、具体的には受信端末装置２の初期起動時に、データベース７へのユーザ情報の登録を求めるシステム構成を採用することができる。
【００８３】
この場合、受信端末装置２には、ユーザ情報登録要求手段として、その初期起動動作に連動してモニタ画面１０にユーザ情報登録画面１５（図６参照）を表示する登録画面表示機能が設けられる。
【００８４】
したがって、ユーザ自身が受信端末装置２を初めて起動すると、この初期起動時に、受信端末装置２の登録画面表示機能が作動し、これによりモニタ画面１０にユーザ情報登録画面１５が表示され、このユーザ情報登録画面１５を通じてユーザ情報の登録を行なうことが可能となる。
【００８５】
図６はユーザ情報登録画面１５の一例を示したものである。同図のユーザ情報登録画面１５には、当該ユーザの▲１▼氏名、▲２▼性別、▲３▼生年月日、▲４▼住所（電子メールアドレスを含む）、▲５▼電話番号、▲６▼家族構成を入力するユーザ情報入力欄１５−１が設けられており、そのユーザ情報入力欄１５−１にそれぞれ該当するユーザ情報をユーザ自身が入力する。このユーザ情報の入力作業は、ユーザ情報登録画面１５中に表示されている平仮名・数字入力キー１５−２を利用して行なうことができる。
【００８６】
ユーザ情報登録画面１５中の入力内容登録ボタン１５−３をクリックすると、上記手法で入力したユーザ情報が受信端末装置２からインターネット等の通信網６を介しデータサーバ３側へ送出される。このとき同時に、自装置ＩＤ情報がユーザ情報に関連付けられて送出される。
【００８７】
ここで、上記「自装置ＩＤ情報」とは、受信端末装置２の工場出荷時から該受信端末装置２のハードディスク１４若しくは内部メモリ１６等の記憶手段に登録記憶され、かつ、どのユーザが所有する受信端末装置２であるのかを識別するために受信端末装置２ごとに個別に付された識別子であって、ユーザごとに自装置ＩＤ情報は異なる。
【００８８】
上記の如く受信端末装置２から送出されたユーザ情報と自装置ＩＤ情報は、いずれもデータサーバ３が受け取り、かつ、ユーザデータとして当該データサーバ３のデータベース７に登録・蓄積し厳重に管理される。
【００８９】
＜図１のシステムに追加適用しうる技術要素（その２）＞
図１の双方向ディジタルＣＭ放送システムにおいては、ユーザがＴＶ放送画面４内の表示物Ａの表示エリア５をポインタ１３で選択指定すると、データベース７に予め蓄積されている当該表示エリア５内の表示物Ａの詳細情報Ｂがユーザへ提供されるが、同図の双方向ディジタルＣＭ放送システムでは、そのデータベース７に予め蓄積された詳細情報Ｂの提供だけでなく、さらに、当該表示物Ａの詳細情報Ｂの広告主に対して直接ユーザが当該表示物Ａに関する問合せをしうるシステム構成も採用できる。
【００９０】
この場合、受信端末装置２のリモコン１２には図示しない問合せボタンが設けられる。問合せボタンを押すと、▲１▼自装置ＩＤ情報、▲２▼表示物ＡのＩＤ情報、▲３▼問合せ内容という３つの情報が、当該ユーザの受信端末装置２から通信網６を介してデータサーバ３側へ送出される。つまり、本実施形態では、ユーザの受信端末装置２に上記３つの情報をデータサーバ３へ送出する問合せ情報送出機能が設けられることになる。
【００９１】
ここで、上記の如くユーザの受信端末装置２からデータサーバ３側へ送出される上記▲２▼の「表示物ＡのＩＤ情報」とは、ポインタ１３で選択指定された表示エリア５内の表示物ＡのＩＤ情報である。また、これと同様に送出される上記▲３▼の「問合せ内容」はユーザによって異なるが、いずれのユーザも、ユーザ情報の入力作業の際に使用した平仮名・数字入力キー１５−２等によりその問合せ内容を適宜作成することができる。
【００９２】
データサーバ３は、上記受信端末装置２から送出されてきた３つの情報（▲１▼自装置ＩＤ情報、▲２▼表示物ＡのＩＤ情報、▲３▼問合せ内容）を受信する機能と、この受信した３つの情報をベースにして以下の（１）および（２）の処理を行なう機能を具備する。
【００９３】
（１）ユーザの特定とユーザ情報の抽出に関する処理
この処理は、ユーザ特定処理手段として機能するものであって、その具体的な処理内容は、上記▲１▼の自装置ＩＤ情報を基にデータベース７のユーザ情報を参酌し問合せのあったユーザを特定し、かつ、その特定されたユーザのユーザ情報をデータベース７から抽出するものである。
【００９４】
（２）広告主の特定と広告主への情報提供に関する処理
この処理は、問合せ内容提供手段として機能するものであって、その具体的な処理内容は、上記▲２▼の表示物ＡのＩＤ情報を基にデータベース７を検索し該表示物Ａの詳細情報Ｂの広告主を特定するとともに、この特定した広告主に対し、上記データベース７から抽出したユーザのユーザ情報と、そのユーザからの上記▲３▼の問合せ内容とを提供するものである。なお、この提供は通信網６を介して行なわれる。
【００９５】
したがって、広告主は、データサーバ３を経由して、ユーザからの問合せ内容とそのユーザのユーザ情報を受け取ることができ、これにより、ユーザのニーズに応じた適切な回答を作成することができる。
【００９６】
広告主における問合せの回答方式としては各種考えられる。たとえば、広告主が受け取るユーザ情報中には前述の通りユーザの住所（電子メールアドレスを含む）が含まれている。したがって、広告主としては、通信網６を利用したＥメールまたは郵便若しくはユーザ宅への訪問等により、当該ユーザへ直接問合せの回答をすることができる。
【００９７】
＜図１のシステムに追加適用しうる技術要素（その３）＞
図１の双方向ディジタルＣＭ放送システムにおいて、これを構成する受信端末装置２は、データサーバ３側へ表示物Ａの詳細情報Ｂの送信要求をする際に、表示物ＡのＩＤ情報を用いている。具体的には、受信端末装置２は、詳細情報Ｂの送信要求コマンドに表示物ＡのＩＤ情報を付加し、これをデータサーバ３側へ送出するという送信要求方式を採る。
【００９８】
上記のような送信要求コマンドを用いた送信要求方式において、受信端末装置２は、さらに自装置ＩＤ情報もその送信要求コマンドに付加してデータサーバ３側へ送出するものとする。
【００９９】
要するに、上記受信端末装置２においては、表示物Ａの詳細情報Ｂの送信要求時に、▲１▼表示物のＩＤ情報と▲２▼自装置ＩＤ情報を付加した送信要求コマンドをデータサーバ３側へ送出するという送信要求手段を採用することができる。
【０１００】
受信端末装置２側から送信要求コマンドを受け取ったデータサーバ３は、その送信要求コマンドに付加されている表示物ＡのＩＤ情報をキーとしてデータベース７を検索し、かつ、該ＩＤ情報により特定される表示物Ａの詳細情報Ｂをデータベース７から抽出して送信要求元の受信端末装置２側へ送出するが、このようなユーザに対する情報提供サービスのほか、データサーバ３は、広告主に対し宣伝戦略やマーケティング戦略を立てる上で重要な情報ないしはツール、具体的には各種統計データを提供するサービスも行なう構成を採用しうる。以下、このサービスを行なう処理と、そのサービスの内容等について説明する。
【０１０１】
データサーバ３は、上記サービスの提供にあたり、以下の（１）および（２）の処理を行なう機能を具備している。
【０１０２】
（１）閲覧者数カウント処理
データサーバ３は、上記受信端末装置２側からの詳細情報Ｂの送信要求を該詳細情報Ｂごとに個別にカウントし、このカウント値を送信要求データとして管理する。この管理の対象となっている送信要求カウント値は、詳細情報Ｂを閲覧した視聴者の数（以下、閲覧者数という。）そのものを意味する。したがって、送信要求カウント値の数だけ詳細情報の閲覧があったことになる。そこで、データサーバ３では、詳細情報Ｂごとに、その詳細情報Ｂの送信要求をカウントし、この送信要求カウント値を閲覧者数として定義付けている。
【０１０３】
（２）ユーザ特定処理
データサーバ３は、受信端末装置２からの送信要求コマンドに付加されている自装置ＩＤ情報を基に、データベース７内のユーザ情報を参酌し送信要求のあったユーザを特定する。また、データサーバ３は、その特定したユーザのユーザ情報をデータベース７から抽出する。このユーザ情報中には、詳細情報を閲覧したユーザの▲１▼氏名、▲２▼性別、▲３▼生年月日、▲４▼住所（電子メールアドレスを含む）、▲５▼電話番号、▲６▼家族構成等が含まれている。
【０１０４】
（３）統計処理
データサーバ３は、上記詳細情報の閲覧者数と上記データベース７から抽出されたユーザ情報とに基づき、たとえば性別、年齢別、名古屋や大阪等の地区別その他各種観点から当該詳細情報Ｂの閲覧者数を集計し統計データを作成する。
【０１０５】
ところで、上記の如くデータサーバ３において作成された統計データは、データベース７に蓄積されるとともに、当該詳細情報Ｂの広告主が通信網６を通じてデータサーバ３に対し統計データ取得要求を送出すること等により、その広告主のみが統計データを入手しうる。
【０１０６】
広告主にとってより有用な統計データを提供する観点からすると、受信端末装置２の初期起動時においてユーザに入力を求めるユーザ情報については、ユーザの▲１▼氏名、▲２▼性別、▲３▼生年月日、▲４▼住所（電子メールアドレスを含む）、▲５▼電話番号、▲６▼家族構成等にとらわれることなく、あらゆる観点から消費動向調査に有効な情報をユーザ情報として求めることができる。
【０１０７】
＜図３のシステムに追加適用しうる技術要素＞
上述の＜図１のシステムに追加適用しうる技術要素＞は、図３のシステムにも追加適用することができる。但し、その技術要素を図３のシステムに追加適用する場合、ユーザの受信端末装置２に設けられている機能のうち、特に問合せ情報送出機能については、上記▲２▼の「表示物のＩＤ情報」、すなわちポインタ１３で選択指定された表示エリア内の表示物のＩＤ情報を送出する代わりに、リモコン１２のデータ表示ボタン１２−２が押されたときのＴＶ放送画面４内に存在する表示エリア５内の表示物ＡのＩＤ情報が送出されるものとする。これは図３のシステムではポインタ１３という技術要素を利用せず、それに代えてデータ表示ボタン１２−２という技術要素を利用しているからである。
【０１０８】
【発明の効果】
本発明のうち、受信したＴＶ放送画面内に表示エリアが存在するときに、その表示エリアをポインタで選択指定すると、その表示エリア内の表示物の詳細情報がＴＶ放送画面と一緒に受信手段側のモニタ画面に表示されるという構成を採用したものにあっては、表示物とその表示エリアは同じ場所にあるから、視聴者はＴＶ放送画面に表示される表示物の詳細情報を取得しようとする際に、その表示物そのものをポインタという指示手段で示すような感覚で、簡単かつ確実に当該表示物の詳細情報を取得することができるという効果を奏する。
【０１０９】
本発明のうち、ＴＶ放送画面とは別に設けたデータ表示ボタンを具備し、かつ受信したＴＶ放送画面内に表示エリアが存在するときに、そのデータ表示ボタンを押すと、該表示エリア内の表示物の詳細情報がＴＶ放送画面と一緒に受信手段側のモニタ画面に表示されるという構成を採用したものにあっては、ＴＶ放送画面と一緒にバナー広告を表示しなくても、データ表示ボタンを押すだけで、ＴＶ放送画面に表示される表示物の詳細情報を簡単かつ確実に取得でき、バナー広告の省略によりＴＶ放送画面の表示領域を広く確保することが可能となる。また上記データ表示ボタンはＴＶ放送画面と別に設けられるので、データ表示ボタンによってドラマ等の番組の雰囲気が損なわれることもなく、視聴者はドラマ等の番組の雰囲気を満喫することができる等の効果を奏する。
【図面の簡単な説明】
【図１】本発明の一実施形態である双方向ディジタルＣＭ放送システムのシステム構成図。
【図２】本発明のシステムを構成する受信端末装置のブロック図。
【図３】本発明のシステムにおいて送信または受信されるＴＶ放送画面の説明図。
【図４】図１に示すシステムに関し、受信端末装置側のモニタ画面においてポインタによるポイント指定があった場合の動作の説明図。
【図５】本発明の他の実施形態である双方向ディジタルＣＭ放送システムのシステム構成図。
【図６】ユーザ情報登録画面の説明図。
【符号の説明】
１  送信手段
２  受信端末装置
３  データサーバ
４  ＴＶ放送画面
５  表示エリア
６  通信網
７  データベース
８  アンテナ
９  チューナ
１０  モニタ画面
１１  ＣＰＵ
１２  リモコン
１２−１  ポインタ表示ボタン
１２−２  データ表示ボタン
１２−３  インデックス選択指定ボタン
１３  ポインタ
１４  ハードディスク
１５  ユーザ情報登録画面
１５−１  ユーザ情報入力欄
１５−２  平仮名・数字入力キー
１５−３  入力内容登録ボタン
１６  内部メモリ
Ａ  表示物
Ｂ  詳細情報
Ｃ  インデックス
【図１】
2004200932.tif 000003
【図２】
2004200932.tif 000004
【図３】
2004200932.tif 000005
【図４】
2004200932.tif 000006
【図５】
2004200932.tif 000007
【図６】
2004200932.tif 000008